(57)【要約】【課題】  分配器を介して衛星放送受信アンテナに接続されている他の機器が衛星放送を受信しているかどうかを判定し、他の機器が衛星放送を受信していると判定したときに、衛星放送受信アンテナに対して電源供給を行う衛星放送受信機能を有するテレビ受像機を提供する。【解決手段】  テレビ受像機１は、本体に接続されている記録装置２が電源オフの状態から電源オンの状態に切り替わると、この記録装置２が衛星放送のチャンネルを選局しているかどうかを判定し、衛星放送のチャンネルを選局している場合にアンテナ３に設けられたコンバータ３ａに動作電源の供給を開始する。したがって、記録装置２にはコンバータ３ａに対して電源供給を行う構成が不要になり、記録装置２のコストダウンが図れる。【選択図】  図１
2005151070.tif 000002
【特許請求の範囲】
【請求項１】
受信している衛星放送の放送信号を変換して出力する衛星放送受信アンテナに動作電源を供給する電源供給手段と、
上記衛星放送受信アンテナから出力されている放送信号から、選局されているチャンネルの放送信号を抽出し、ここで抽出した放送信号を処理して映像信号および音声信号を出力する衛星放送信号処理手段と、
上記衛星放送信号処理手段が出力した映像信号に基づく映像を表示器に表示し、音声信号に基づく音声をスピーカから出力する出力手段と、を備え、
上記電源供給手段は、上記衛星放送信号処理手段において衛星放送のチャンネルが選局されているとき、上記衛星放送受信アンテナに対する電源供給を行う衛星放送受信機能を有するテレビ受像機において、
外部機器が接続され、この外部機器から映像信号および音声信号の入力を受け付ける外部入力受付手段と、
上記外部入力受付手段に接続されている外部機器における電源のオン／オフ状態を検出する検出手段と、
上記外部入力受付手段に接続されている外部機器から入力されている音声信号が無音声であるかどうかを判定する判定手段と、を備え、
上記電源供給手段は、外部機器が電源オフの状態から電源オンの状態に切り替わったことが上記検出手段により検出されたとき、衛星放送受信アンテナに動作電源を供給していなければ、判定手段により外部機器から入力されている音声信号が無音声であるかどうかを判定し、無音性であれば衛星放送受信アンテナに対する動作電源の供給を開始し、その後に、再度判定手段により外部機器から入力されている音声信号が無音声であるかどうかを判定し、無音性であれば衛星放送受信アンテナに対する動作電源の供給を停止し、反対に無音声でなければ衛星放送受信アンテナに対する動作電源の供給を継続し、反対に判定手段による判定結果が無音声でなければ衛星放送受信アンテナに対する動作電源の供給を開始せず、また外部機器が電源オンの状態から電源オフの状態に切り替わったことが上記検出手段により検出されたとき、上記衛星放送信号処理手段において選局されているチャンネルが衛星放送であれば衛星放送受信アンテナに対する電源供給を継続し、反対に選局されているチャンネルが衛星放送でなければ衛星放送受信アンテナに対する電源供給を停止し、さらに上記衛星放送信号処理手段において選局されているチャンネルが衛星放送のチャンネルから衛星放送でないチャンネルに切り替わったとき、または本体の電源がオフされたとき、上記検出手段により検出された外部機器の状態が電源オンの状態であれば衛星放送受信アンテナに対する動作電源の供給を継続し、反対に上記検出手段により検出された外部機器の状態が電源オフの状態であれば衛星放送受信アンテナに対する動作電源の供給を停止する衛星放送受信機能を有するテレビ受像機。
【請求項２】
受信している衛星放送の放送信号を変換して出力する衛星放送受信アンテナに動作電源を供給する電源供給手段と、
上記衛星放送受信アンテナから出力されている放送信号から、選局されているチャンネルの放送信号を抽出し、ここで抽出した放送信号を処理して映像信号および音声信号を出力する衛星放送信号処理手段と、
上記衛星放送信号処理手段が出力した映像信号に基づく映像を表示器に表示し、音声信号に基づく音声をスピーカから出力する出力手段と、を備え、
上記電源供給手段は、上記衛星放送信号処理手段において衛星放送のチャンネルが選局されているとき、上記衛星放送受信アンテナに対する電源供給を行う衛星放送受信機能を有するテレビ受像機において、
外部機器が接続され、この外部機器から映像信号および音声信号の入力を受け付ける外部入力受付手段と、
上記外部入力受付手段に接続されている外部機器における電源のオン／オフ状態を検出する検出手段と、を備え、
上記電源供給手段は、外部機器が電源オフの状態から電源オンの状態に切り替わったことが上記検出手段により検出されたとき、衛星放送受信アンテナに動作電源を供給していなければ衛星放送受信アンテナに対する動作電源の供給を開始し、また外部機器が電源オンの状態から電源オフの状態に切り替わったことが上記検出手段により検出されたとき、上記衛星放送信号処理手段において選局されているチャンネルが衛星放送であれば衛星放送受信アンテナに対する電源供給を継続し、反対に選局されているチャンネルが衛星放送でなければ衛星放送受信アンテナに対する電源供給を停止する衛星放送受信機能を有するテレビ受像機。
【請求項３】
上記外部入力受付手段に接続されている外部機器から入力されている音声信号が無音声であるかどうかを判定する判定手段を備え、
前記電源供給手段は、外部機器が電源オフの状態から電源オンの状態に切り替わったことが上記検出手段により検出されたとき、衛星放送受信アンテナに動作電源を供給していなければ、判定手段により外部機器から入力されている音声信号が無音声であるかどうかを判定し、無音性であれば衛星放送受信アンテナに対する動作電源の供給を開始し、反対に無音声でなければ衛星放送受信アンテナに対する動作電源の供給を開始しない請求項２に記載の衛星放送受信機能を有するテレビ受像機。
【請求項４】
上記電源供給手段は、衛星放送受信アンテナに対する動作電源の供給を開始した後に、再度判定手段により外部機器から入力されている音声信号が無音声であるかどうかを判定し、無音性であれば衛星放送受信アンテナに対する動作電源の供給を停止し、反対に無音声でなければ衛星放送受信アンテナに対する動作電源の供給を継続する請求項３に記載の衛星放送受信機能を有するテレビ受像機。
【請求項５】
上記電源供給制御手段は、上記衛星放送信号処理手段において選局されているチャンネルが衛星放送のチャンネルから衛星放送でないチャンネルに切り替わったとき、または本体の電源がオフされたとき、上記検出手段により検出された外部機器の状態が電源オンの状態であれば衛星放送受信アンテナに対する動作電源の供給を継続し、反対に上記検出手段により検出された外部機器の状態が電源オフの状態であれば衛星放送受信アンテナに対する動作電源の供給を停止する請求項２〜４のいずれかに記載の衛星放送受信機能を有するテレビ受像機。
【発明の詳細な説明】
【技術分野】
【０００１】
この発明は、衛星放送放送受信アンテナに対する動作電源の供給を必要に応じて行う衛星放送受信機能を有するテレビ受像機に関する。
【背景技術】
【０００２】
従来、衛星放送で放送されている番組を受信し、番組の映像および音声を出力するテレビ受像機や、この番組をＤＶＤ、ハードディスク、ビデオテープ等の記録媒体に記録する記録装置が一般に普及している。衛星放送は、衛星放送受信アンテナ（ＢＳアンテナ）で受信される。このＢＳアンテナは、放送衛星から電磁波で送られてくる放送信号を受信し、受信した放送信号をコンバータで変換し、変換した信号を増幅して出力する。具体的には、ＢＳアンテナは、受信した１２ＧＨｚ帯の電磁波のうち右旋波のみを１ＧＨｚ帯の信号に変換し、この変換した１ＧＨｚ帯の信号を増幅して出力する。この増幅された信号が、衛星放送受信機能を有するテレビ受像機や記録装置に入力される。これらの装置は、入力された信号から選局されているチャンネルの放送信号を抽出し、抽出した信号を処理して映像信号および音声信号を生成するＢＳチューナを備えている。
【０００３】
ところで、衛星放送を受信するとき、ＢＳアンテナに設けられているコンバータを動作させる必要がある。衛星放送を受信しているかどうかにかかわらず、このコンバータに対して常時動作電源を供給する構成では、コンバータの経時劣化が大きく、またコンバータにおいて電力が無駄に消費される。そこで、衛星放送受信機能を有するテレビ受像機や、記録装置は、ＢＳアンテナ（コンバータ）に対して動作電源を供給する電源供給部を備え、本体において選局しているチャンネルが衛星放送であればこの電源供給部から動作電源を供給し、衛星放送でなければ電源供給部からの動作電源の供給を停止している（特許文献１参照）。
【０００４】
また、分配器を利用して、ＢＳアンテナに複数の装置を接続した場合、各装置が衛星放送を受信しているときにＢＳアンテナに動作電源を供給する構成であると、同時に２台以上の装置が衛星放送を受信しているとき、ＢＳアンテナには複数の装置から動作電源が供給される。これにより、ＢＳアンテナに対して過大な電力供給が行われることになり、電力が無駄に消費される。そこで、衛星放送を受信するときに、他の装置がＢＳアンテナに電源供給を行っているかどうかを検出し、他の装置が電源供給を行っていればＢＳアンテナに対する電源供給を行わない装置が提案されている（特許文献２参照）。
【特許文献１】特開平６−  ６７２９号公報
【特許文献２】特開平９−９３５１１号公報
【発明の開示】
【発明が解決しようとする課題】
【０００５】
しかしながら、特許文献２で提案されている技術では、ＢＳアンテナに接続する各装置に、ＢＳアンテナに対して動作電源を供給するための構成、および他の装置がＢＳアンテナに動作電源を供給しているかどうかを検出するための構成、を設けなければならず、個々の装置のコストが高いという問題があった。
【０００６】
この発明の目的は、分配器を介して衛星放送受信アンテナに接続されている他の機器が衛星放送を受信しているかどうかを判定し、他の機器が衛星放送を受信していると判定したときに、衛星放送受信アンテナに対して電源供給を行う衛星放送受信機能を有するテレビ受像機を提供することにある。
【課題を解決するための手段】
【０００７】
この発明の衛星放送受信機能を有するテレビ受像機は、上記目的を達成するために以下の構成を備えている。
【０００８】
（１）受信している衛星放送の放送信号を変換して出力する衛星放送受信アンテナに動作電源を供給する電源供給手段と、
上記衛星放送受信アンテナから出力されている放送信号から、選局されているチャンネルの放送信号を抽出し、ここで抽出した放送信号を処理して映像信号および音声信号を出力する衛星放送信号処理手段と、
上記衛星放送信号処理手段が出力した映像信号に基づく映像を表示器に表示し、音声信号に基づく音声をスピーカから出力する出力手段と、を備え、
上記電源供給手段は、上記衛星放送信号処理手段において衛星放送のチャンネルが選局されているとき、上記衛星放送受信アンテナに対する電源供給を行う衛星放送受信機能を有するテレビ受像機において、
外部機器が接続され、この外部機器から映像信号および音声信号の入力を受け付ける外部入力受付手段と、
上記外部入力受付手段に接続されている外部機器における電源のオン／オフ状態を検出する検出手段と、を備え、
上記電源供給手段は、外部機器が電源オフの状態から電源オンの状態に切り替わったことが上記検出手段により検出されたとき、衛星放送受信アンテナに動作電源を供給していなければ衛星放送受信アンテナに対する動作電源の供給を開始し、また外部機器が電源オンの状態から電源オフの状態に切り替わったことが上記検出手段により検出されたとき、上記衛星放送信号処理手段において選局されているチャンネルが衛星放送であれば衛星放送受信アンテナに対する電源供給を継続し、反対に選局されているチャンネルが衛星放送でなければ衛星放送受信アンテナに対する電源供給を停止する。
【０００９】
この構成では、検出手段が外部入力受付手段に接続されている外部機器が電源オン状態であるか、電源オフの状態であるかを検出する。外部機器の状態を検出する方法としては、例えば外部入力受付部に入力されている外部機器からの映像信号の有無により検出する。また、検出手段が外部機器が電源オフの状態から電源オンの状態に切り替わったことを検出すると、電源供給手段が衛星放送受信アンテナへの電源供給を開始する。これにより、外部機器は衛星放送を受信できる。また、検出手段が外部機器が電源オンの状態から電源オフの状態に切り替わったことを検出すると、本体が衛星放送を選局していなければ衛星放送受信アンテナに対する電源供給を停止する。
【００１０】
なお、電源供給部は、本体が衛星放送を選局しているとき、衛星放送受信アンテナに電源供給を行う。
【００１１】
このように、本体に接続されている外部機器が電源オンの状態であるとき、衛星放送受信アンテナに対して電源供給を行う。したがって、外部機器は、衛星放送受信アンテナに電源供給を行うための構成や、他の機器が衛星放送受信アンテナに電源供給を行っているどうかを検出するための構成が不要になり、装置のコストダウンが図れる。
【００１２】
（２）上記外部入力受付手段に接続されている外部機器から入力されている音声信号が無音声であるかどうかを判定する判定手段を備え、
前記電源供給手段は、外部機器が電源オフの状態から電源オンの状態に切り替わったことが上記検出手段により検出されたとき、衛星放送受信アンテナに動作電源を供給していなければ、判定手段により外部機器から入力されている音声信号が無音声であるかどうかを判定し、無音性であれば衛星放送受信アンテナに対する動作電源の供給を開始し、反対に無音声でなければ衛星放送受信アンテナに対する動作電源の供給を開始しない。
【００１３】
この構成では、検出手段が外部機器が電源オフの状態から電源オンの状態に切り替わったことを検出したときに、衛星放送受信アンテナに動作電源を供給していなければ、外部入力受付部に入力されている外部機器からの音声信号が無音声であるかどうかを判定する。この外部機器が衛星放送を選局している場合、この時点においては衛星放送受信アンテナに対する電源供給が行われていないので、外部機器に衛星放送信号が入力されていない。したがって、外部機器から入力されている音声信号は無音声である。一方、地上波放送を選局している場合、外部機器から入力されている音声信号は無音声でなく、選局されている番組の音声である。上記判定において、無音声でないと判定した場合、すなわち外部機器が衛星放送を選局していない場合、衛星放送受信アンテナに対する電源供給を開始しない。これにより、衛星放送受信アンテナに対する無駄な電源供給を抑えることができ、また衛星放送受信アンテナの経時劣化を抑えることができる。
【００１４】
（３）上記電源供給手段は、衛星放送受信アンテナに対する動作電源の供給を開始した後に、再度判定手段により外部機器から入力されている音声信号が無音声であるかどうかを判定し、無音性であれば衛星放送受信アンテナに対する動作電源の供給を停止し、反対に無音声でなければ衛星放送受信アンテナに対する動作電源の供給を継続する。
【００１５】
この構成では、衛星放送受信アンテナに対する電源供給が開始した後、すなわち外部機器に衛星放送信号が入力されている状態で、再度外部機器から入力されている音声信号が無音声であるかどうかを判定する。この状態でも外部機器から入力されている音声が無音声であれば、外部機器が選局している衛星放送のチャンネルが放送を休止しているか、または衛星放送のチャンネルを選局しておらず、他の動作を行っていると判断できる。電源供給部は、このような場合に衛星放送受信アンテナに対する電源供給を停止するので、衛星放送受信アンテナに対する無駄な電源供給を一層抑えることができ、また衛星放送受信アンテナの経時劣化を一層抑えることができる。
【００１６】
（４）上記電源供給制御手段は、上記衛星放送信号処理手段において選局されているチャンネルが衛星放送のチャンネルから衛星放送でないチャンネルに切り替わったとき、または本体の電源がオフされたとき、上記検出手段により検出された外部機器の状態が電源オンの状態であれば衛星放送受信アンテナに対する動作電源の供給を継続し、反対に上記検出手段により検出された外部機器の状態が電源オフの状態であれば衛星放送受信アンテナに対する動作電源の供給を停止する。
【００１７】
この構成では、本体の電源がオフされたときや、選局されているチャンネルが衛星放送のチャンネルから衛星放送でないチャンネルに切り替わったときに、外部機器が電源オンの状態であれば、衛星放送受信アンテナに対する動作電源の供給を停止しない。これにより、本体の電源オフや、チャンネルの切り替えにより、外部機器において衛星放送の受信が途切れる（途中で衛星放送が受信できなくなる。）のを防止できる。
【発明の効果】
【００１８】
この発明によれば、本体に接続される外部機器については、衛星放送受信アンテナに対して動作電源を供給するための構成が不要であり、そのコストを低減できる。また、本体または外部機器の両方が衛星放送のチャンネルを選局していないとき、衛星放送受信アンテナに対する動作電源の供給を略確実に停止させることができるので、衛星放送受信アンテナに対する無駄な電源供給を抑え、且つ衛星放送受信アンテナの経時劣化を抑えることができる。
【発明を実施するための最良の形態】
【００１９】
以下、この発明の実施形態である衛星放送受信機能を有するテレビ受像機について説明する。
【００２０】
図１は、この発明の実施形態であるテレビ受像機を適用した衛星放送受信システムの構成を示す図である。図１において、１はこの発明の実施形態であるテレビ受像機、２はこのテレビ受像機１に接続された記録装置、３は衛星放送を受信する衛星放送受信アンテナ（以下、ＢＳアンテナと言う。）、４はＢＳアンテナ３が受信した衛星放送の放送信号をテレビ受像機１および記録装置２に分配して入力する分配器、５は地上波放送を受信するアンテナである。テレビ受像機１および記録装置２は、衛星放送および地上波放送を受信できる。ＢＳアンテナ３には、受信した１２ＧＨｚ帯の電磁波のうち右旋波のみを１ＧＨｚ帯の信号に変換し、この変換した１ＧＨｚ帯の信号を増幅して出力するコンバータ３ａが設けられている。
【００２１】
図２は、この実施形態のテレビ受像機、および記録装置の主要部の構成を示すブロック図である。テレビ受像機１は、本体の動作を制御する制御部１１と、分配器４を介して入力された衛星放送信号から選択されているチャンネルの衛星放送信号を抽出し、ここで抽出した衛星信号を処理して映像信号および音声信号を生成する衛星放送信号処理部１２と、地上波アンテナ５で受信され、本体に入力された地上波放送信号から選択されているチャンネルの地上波放送信号を抽出し、ここで抽出した地上波信号を処理して映像信号および音声信号を生成する地上波放送信号処理部１３と、記録装置２からの映像信号および音声信号の入力を受け付ける外部入力Ｉ／Ｆ１４と、ＢＳアンテナ３のコンバータ３ａに動作電源を供給する電源供給部１５と、衛星放送信号処理部１２、地上波放送信号処理部１３、または外部入力Ｉ／Ｆ１４から出力された映像信号に基づく映像を表示する表示器１６と、衛星放送信号処理部１２、地上波放送信号処理部１３、または外部入力Ｉ／Ｆ１４から出力された音声信号に基づく音声を出力するスピーカ１７と、本体に対する入力操作を受け付ける操作部１８と、を備えている。操作部１８におけるユーザの操作により、表示器１６で表示する映像、およびスピーカ１７から出力する音声は切り替えられる。操作部１８には、図示していないリモコン装置から送られてくる制御コードを受信する受信部や、利用者が操作するキーが設けられている。
【００２２】
また、記録装置２は、本体の動作を制御する制御部２１と、分配器４を介して入力された衛星放送信号から選択されているチャンネルの衛星放送信号を抽出し、ここで抽出した衛星信号を処理して映像信号および音声信号を生成する衛星放送信号処理部２２と、地上波アンテナ５で受信され、本体に入力された地上波放送信号から選択されているチャンネルの地上波放送信号を抽出し、ここで抽出した地上波信号を処理して映像信号および音声信号を生成する地上波放送信号処理部２３と、衛星放送信号処理部２２または地上波放送信号処理部２３で処理された映像信号および音声信号をＤＶＤ、ハードディスク、ビデオテープ等の記録媒体に記録したり、記録媒体に記録されている映像信号および音声信号を再生する記録／再生部２４と、テレビ受像機１に映像信号および音声信号を入力する外部出力Ｉ／Ｆ２５と、本体に対する入力操作を受け付ける操作部２６と、を備えている。記録装置２は、衛星放送のチャンネルが選局されているとき、そのチャンネルで放送されている番組の映像信号および音声信号を外部出力Ｉ／Ｆ２５から出力し、テレビ受像機１に入力する。また、地上波放送のチャンネルが選局されているとき、そのチャンネルで放送されている番組の映像信号および音声信号を外部出力Ｉ／Ｆ２５から出力し、テレビ受像機１に入力する。さらに、再生時には記録／再生部２４で再生した映像信号および音声信号を外部出力Ｉ／Ｆ２５から出力し、テレビ受像機１に入力する。
【００２３】
図２に示したように、記録装置２はＢＳアンテナ２に対して電源供給を行う構成を備えておらず、テレビ受像機１の外部入力Ｉ／Ｆ１４と記録装置２の外部出力Ｉ／Ｆ２５とが接続されている。
【００２４】
次に、この実施形態のテレビ受像機１の動作について説明する。図３は、この実施形態のテレビ受像機の動作を示すフローチャートである。テレビ受像機１は、本体が電源オフの状態から電源オンの状態に変化すると第１の電源オン処理を実行し（ｓ１、ｓ２）、本体が電源オンの状態から電源オフの状態に変化すると第１の電源オフ処理を実行する（ｓ３、ｓ４）。また、外部入力Ｉ／Ｆ１４に接続されている記録装置２が電源オフの状態から電源オンの状態に変化すると第２の電源オン処理を実行し（ｓ５、ｓ６）、記録装置２が電源オンの状態から電源オフの状態に変化すると第２の電源オフ処理を実行する（ｓ７、ｓ８）。さらに、本体において選局しているチャンネルの切り替えが行われると、チャンネル切り替え処理を実行する（ｓ９、ｓ１０）。
【００２５】
ここで、テレビ受像機１は、その状態が電源オフの状態であるとき、衛星放送信号処理部１２、地上波放送信号処理部１３、表示器１６、スピーカ１７等については電源供給が行われておらず、その動作を停止させているが、制御部１１については操作部１８における入力操作の有無や、記録装置２の状態検出のために動作させている。
【００２６】
まず、ｓ２にかかる第１の電源オン処理について説明する。図４は、第１の電源オン処理を示すフローチャートである。テレビ受像機１は、衛星放送のチャンネルが選局されているかどうかを判定する（ｓ１１）。選局されているチャンネルが、衛星放送のチャンネルでなく、地上波放送のチャンネルまたは外部入力である場合、本処理を終了する。一方、ｓ１１で衛星放送のチャンネルが選局されていると判定すると、電源供給部１５がコンバータ３ａに動作電源を供給しているかどうかを判定する（ｓ１２）。そして、コンバータ３ａに対する電源供給が行われていなければ（電源未供給であれば）、コンバータ３ａへの電源供給を開始する（ｓ１３）。また、ｓ１２で電源供給部１５がコンバータ３ａに動作電源を供給していると判定すると、本処理を終了する。
【００２７】
これにより、テレビ受像機１の衛星放送信号処理部１２にはＢＳアンテナ３で受信されている衛星放送信号が入力され、表示器１６において選局されている衛星放送のチャンネルで放送されている番組の映像が表示されるとともに、スピーカ１７において選局されている衛星放送のチャンネルで放送されている番組の音声が出力される。
【００２８】
なお、ｓ１２でコンバータ３ａに対する電源供給が行われていると判定する状況にいたる処理については後述するが、この状況は記録装置２が衛星放送のチャンネルを選局していると判断し、すでにコンバータ３ａへの電源供給を開始したことにより生じている。
【００２９】
次に、ｓ４にかかる電源オフ処理について説明する。図５は、この第１の電源オフ処理を示すフローチャートである。テレビ受像機１は、記録装置２が電源オフの状態であるかどうかを判定し（ｓ２１）、電源オンの状態であると判定すると本処理を終了する。したがって、記録装置２が電源オンの状態であるときに、テレビ受像機１が電源オンの状態から電源オフの状態に切り替わると、電源供給部１５がコンバータ３ａに対して電源供給を行っていれば、コンバータ３ａに対する電源供給は継続される。これにより、記録装置２が衛星放送のチャンネルを選局しているときに、テレビ受像機１が電源オンの状態から電源オフの状態に切り替わっても、記録装置２における衛星放送の受信が途切れることはない。
【００３０】
テレビ受像機１は、ｓ２１で記録装置２が電源オフの状態であると判定すると、電源供給部１５がコンバータ３ａに対して電源供給を行っているかどうかを判定し（ｓ２２）、電源供給を行っていれば、コンバータ３ａに対する電源供給を停止し（ｓ２３）、本処理を終了する。したがって、テレビ受像機１が電源オンの状態から電源オフの状態に切り替わったとき、記録装置２が電源オフの状態であれば、電源供給部１５がコンバータ３ａに対して電源供給を行っていない状態にできる。上記の説明から明らかなように、テレビ受像機１および記録装置２はともに電源オフの状態であるので、衛星放送を受信しておらず、このようなときに電源供給部１５がコンバータ３ａに対して電源供給を行わないので、消費電力の無駄を抑えることができるとともに、コンバータ３ａの経時劣化も抑えられる。
【００３１】
次に、ｓ６にかかる第２の電源オン処理について説明する。図６は第２の電源オン処理を示すフローチャートである。テレビ受像機１は、外部入力Ｉ／Ｆ１４における記録装置２からの映像信号の有無により、記録装置２が電源オンの状態であるか、電源オフの状態であるかを判定している。テレビ受像機１は、電源供給部１５がコンバータ３ａに電源を供給しているかどうかを判定し（ｓ３１）、コンバータ３ａに電源を供給していれば本処理を終了する。ｓ３１で電源供給部１５がコンバータ３ａに電源を供給していると判定されるのは、テレビ受像機１が衛星放送のチャンネルを選択しているからである。
【００３２】
テレビ受像機１は、ｓ３１で電源供給部１５がコンバータ３ａに電源を供給していない（電源未供給である）と判定すると、外部入力Ｉ／Ｆ１４に入力されている記録装置２からの音声信号が無音声であるかどうかを判定する（ｓ３２）。このとき、コンバータ３ａには電源が供給されていないので、記録装置２には衛星放送信号が入力されていない。したがって、記録装置２が衛星放送のチャンネルを選局している場合、外部入力Ｉ／Ｆ１４に入力される音声諡号は無音声である。
【００３３】
なお、コンバータ３ａに電源供給が行われておらず、記録装置２が衛星放送のチャンネルを選局しているとき、外部入力Ｉ／Ｆ１４にはブルーバックの映像信号が入力されるので、このような状態であっても、外部入力Ｉ／Ｆ１４における記録装置２からの映像信号の有無により、記録装置２が電源オンの状態であるか、電源オフの状態であるかを判定できる。
【００３４】
テレビ受像機１は、無音声でないと判定すると、すなわち記録装置２が衛星放送を選局していないと判定すると、本処理を終了する。したがって、記録装置２の電源がオンされても、テレビ受像機１および記録装置２がともに衛星放送のチャンネルを選局していなければ、コンバータ３ａに対して電源供給を行わない。これにより、消費電力の無駄を一層抑えることができるとともに、コンバータ３ａの経時劣化も一層抑えられる。
【００３５】
一方、テレビ受像機１は、ｓ３２で無音声であると判定すると、電源供給部１５によるコンバータ３ａへの電源供給を開始する（ｓ３３）。そして、所定時間後、例えば１秒後、に再度外部入力Ｉ／Ｆ１４に入力されている記録装置２からの音声信号が無音声であるかどうかを判定する（ｓ３４）。ここでは、コンバータ３ａに電源供給が行われているので、記録装置２には衛星放送信号が入力されている。したがって、ｓ３４で再度無音声であると判定された場合、記録装置２が選局している衛星放送のチャンネルが放送を休止しているか、または記録装置２が衛星放送および地上波放送のチャンネルを選局しておらず、外部入力による動作等を行っていると考えられる。このような場合に、電源供給部１５によるコンバータ３ａへの電源供給を行っても意味がないので、テレビ受像機１はｓ３４で無音声であると判定すると、電源供給部１５によるコンバータ３ａへの電源供給を停止して本処理を終了する。これにより、消費電力の無駄をより一層抑えることができるとともに、コンバータ３ａの経時劣化もより一層抑えられる。
【００３６】
次に、ｓ８にかかる第２の電源オフ処理について説明する。図７は、第２の電源オフ処理を示すフローチャートである。テレビ受像機１は、テレビ受像機１は、電源供給部１５によるコンバータ３ａへの電源供給を行っているかどうかを判定する（ｓ４１）。ｓ４１で、コンバータ３ａに電源供給を行っていないと判定すると、本処理を終了する。また、ｓ４１でコンバータ３ａに電源供給を行っていると判定すると、本体が衛星放送のチャンネルを選局しているかどうかを判定する（ｓ４２）。テレビ受像機１は、本体が衛星放送のチャンネルを選局していると判定すると、電源供給部１５によるコンバータ３ａへの電源供給を停止することなく本処理を終了する。反対に、本体が衛星放送のチャンネルを選局していないと判定すると、電源供給部１５によるコンバータ３ａへの電源供給を停止させて（ｓ４３）、本処理を終了する。
【００３７】
これにより、衛星放送のチャンネルを選局していた記録装置２がその動作を完了し、電源オフの状態になったときに、テレビ受像機１が衛星放送のチャンネルを選局していなければ電源供給部１５によるコンバータ３ａへの電源供給を停止させることができる。したがって、消費電力の無駄をより一層抑えることができるとともに、コンバータ３ａの経時劣化もより一層抑えられる。
【００３８】
最後に、ｓ１０にかかるチャンネル切り替え処理について説明する。図８は、このチャンネル切り替え処理を示すフローチャートである。テレビ受像機１は、切り替えられたチャンネルが衛星放送のチャンネルであるかどうかを判定する（ｓ５１）。ｓ５１で衛星放送のチャンネルであると判定すると、電源供給部１５によるコンバータ３ａへの電源供給を行っているかどうかを判定し（ｓ５２）、コンバータ３ａへの電源供給を行っていなければ、コンバータ３ａへの電源供給を開始し（ｓ５３）、本処理を終了する。
【００３９】
したがって、テレビ受像機１において選局しているチャンネルを地上波放送のチャンネルから、衛星放送のチャンネルに切り替えたときにも、速やかにテレビ受像機１に衛星放送信号の入力が開始され、選局されている衛星放送信号のチャンネルン得るで放送されている番組の映像が表示器１６に表示されるとともに、スピーカから音声が出力される。
【００４０】
一方、ｓ５１で切り替えられたチャンネルが衛星放送のチャンネルでないと判定すると、電源供給部１５によるコンバータ３ａへの電源供給を行っているかどうかを判定する（ｓ５４）。コンバータ３ａへの電源供給を行っていなければ、本処理を終了し、コンバータ３ａへの電源供給を行っていれば記録装置２が電源オンの状態であるか、電源オフの状態であるかを判定する（ｓ５５）。ｓ５５で、記録装置２が電源オンであると判定すると本処理を終了する。したがって、記録装置２が衛星放送のチャンネルを選局しているときに、テレビ受像機１のチャンネルが切り替えられても、記録装置２における衛星放送の受信が途切れることはない。
【００４１】
また、ｓ５５で、記録装置２が電源オフであると判定すると、電源供給部１５によるコンバータ３ａへの電源供給を停止し（ｓ５６）、本処理を終了する。
【００４２】
このように、この実施形態のテレビ受像機１は、本体または記録装置２のいずれかが衛星放送を選局しているときには確実にコンバータ３ａに対して電源供給が行え、且つ本体および記録装置２の両方が衛星放送を選局していないときには、殆どの場合コンバータ３ａへの電力供給が停止できるので、消費電力を十分に抑えることができるとともに、コンバータ３ａの経時劣化も十分に抑えられる。さらに、記録装置２は、コンバータ３ａに対して電源供給を行う構成を設ける必要がなく、本体を安価にできる。
【００４３】
なお、上記実施形態では、テレビ受像機１に接続される記録装置２を１台とした例で説明したが、複数台の記録装置２が接続できる構成であってもよい。
【図面の簡単な説明】
【００４４】
【図１】この発明の実施形態であるテレビ受像機を適用した衛星放送受信システムの構成を示す図である。
【図２】この実施形態のテレビ受像機、および記録装置の主要部の構成を示すブロックズである。
【図３】この実施形態のテレビ受像機の動作を示すフローチャートである。
【図４】この実施形態のテレビ受像機における第１の電源オン処理を示すフローチャートである。
【図５】この実施形態のテレビ受像機における第１の電源オフ処理を示すフローチャートである。
【図６】この実施形態のテレビ受像機における第２の電源オン処理を示すフローチャートである。
【図７】この実施形態のテレビ受像機における第２の電源オフ処理を示すフローチャートである。
【図８】この実施形態のテレビ受像機におけるチャンネル切り替え処理を示すフローチャートである。
【符号の説明】
【００４５】
１−テレビ受像機
２−記録装置
３−衛星放送受信アンテナ（アンテナ）
３ａ−コンバータ
４−分配器
１１−制御部
１２−衛星放送信号処理部
１３−地上波放送信号処理部
１４−外部入力Ｉ／Ｆ
１５−電源供給部
１６−表示器
１７−スピーカ
１８−操作部
【図１】
2005151070.tif 000003
【図２】
2005151070.tif 000004
【図３】
2005151070.tif 000005
【図４】
2005151070.tif 000006
【図５】
2005151070.tif 000007
【図６】
2005151070.tif 000008
【図７】
2005151070.tif 000009
【図８】
2005151070.tif 000010